(57)【要約】【課題】多数の蓄電池を再利用しながら、蓄電池を効率的に交換可能な蓄電システムを提供する。【解決手段】２次電池のセルを夫々収容する複数の電池パックを備え、複数の電池パックの少なくとも一つが所定の保守作業の際に他の電池パックに交換される、蓄電システムである。制御回路100は、複数の電池パック夫々の残存寿命に基いて、複数の電池パックの中から次回の保守作業の際に交換されるべき電池パックの候補を抽出し、抽出された電池パックの数と規定数との比較結果に基づいて、次回の保守作業の際に交換されるべき電池パックの数が規定数になるように、複数の電池パックのうち所定の電池パックに加わる負荷の度合いを変更して、電池パックの残存寿命を調整できるようにした。【選択図】図１
2019184374.tif 000002
【特許請求の範囲】
【請求項１】
２次電池のセルを夫々収容する複数の電池パックを備え、
定期的に保守作業が実施される蓄電システムにおいて、
前記複数の電池パックに対する制御回路を備え、
前記制御回路は、
前記複数の電池パック夫々の残存寿命に基いて、前記複数の電池パックの中から保守作業の際に交換されるべき電池パックの候補を抽出し、
前記抽出された電池パックの数と規定数との比較結果に基づいて、次回の保守作業の際に交換されるべき電池パックの数が前記規定数になるように、前記複数の電池パックのうち所定の電池パックに加わる負荷の度合いを変更して、当該電池パックの残存寿命を調整できるようにした、
ことを特徴とする蓄電システム。
【請求項２】
前記複数の電池パックの状態を計測するセンサを備え、
前記制御回路は、
前記センサからの信号に基いて、前記複数の電池パック夫々の残存寿命を推定し、
前記候補として抽出された電池パックの数を前記規定数と比較し、
前記候補として抽出された電池パックの数が前記規定数より小さい場合、前記候補として抽出された電池パック以外の電池パックを次回の保守作業の際に交換されるべき候補に追加し、
前記候補に追加された電池パックに加わる負荷の度合いを亢進させて、当該電池パックの寿命の消化が促進されるようにした、
ことを特徴とする
請求項１記載の蓄電システム。
【請求項３】
前記複数の電池パックの状態を計測するセンサを備え、
前記制御回路は、
前記センサからの信号に基いて、前記複数の電池パック夫々の残存寿命を推定し、
前記候補として抽出された電池パックの数を前記規定数と比較し、
前記候補として抽出された電池パックの数が前記規定数より大きい場合、前記候補として抽出された電池パックのうちの一部の電池パックを次回の保守作業の際に交換されるべき候補から外し、
前記候補から外された電池パックに加わる負荷の度合いを抑制して、当該電池パックの寿命の消化が抑制されるようにした、
ことを特徴とする請求項１記載の蓄電システム。
【請求項４】
前記複数の電池パックの中から次回の保守作業の際に交換されるべき電池パックの候補を他の電池パックから区別して報知する出力装置を備える、ことを特徴とする請求項１乃至３の何れか１項記載の蓄電システム。
【請求項５】
前記２次電池のセルは、夫々使用済みの再利用品を含む、ことを特徴とする請求項１乃至３の何れか１項記載の蓄電システム。
【発明の詳細な説明】
【技術分野】
【０００１】
本発明は、多数の使用済み蓄電池を再利用する蓄電システムに関する。
【背景技術】
【０００２】
脱炭素社会の実現に向けて、例えば、石化燃料のエンジン車から、二酸化炭素の排出量が少ない電気自動車への移行が進んでいる。一方、この過程で重要なことは、大量に発生する使用済み蓄電池をいかにして有効活用するかということである。
【０００３】
使用済み蓄電池が再利用されている産業分野の一つとして、ビル管理の分野がある。この分野では、電気自動車に利用され、その後消耗して規格外となった使用済み蓄電池が多数、例えば、太陽光発電や夜間電力の蓄電システムとして再利用され、さらに、エレベーターの運転補助、照明の補助、空調機の補助等に活用することが期待されている。
【０００４】
多数の使用済み蓄電池を再利用する蓄電システムにおいて注意しなければならないことは、複数の蓄電池毎に電池特性が異なっているため、個々の電池の特性や容量を把握した上で、蓄電池の交換時期を適切に管理しなければならないということである。例えば、特許文献１には、２つの異なる特性を持つ2次電池において、電池特性、本数等をメモリに記憶させておき、組電池に接続した電流計、電圧計の出力に基づいて、各2次電池の劣化率や余寿命を算出し、規定値以下であれば検知信号を出力する、あるいは、この結果に基いて２つの異なる特性をもつ2次電池の電圧を平準化する技術が記載されている。
【０００５】
特許文献２には、劣化判定部、余寿命推定部を有し、劣化判定部にて電池モジュールの劣化具合を判定し交換すべき電池モジュールを抽出し、劣化具合は問題なくても余寿命推定部にて算定された余寿命が設定値より小さい電池モジュールも交換すべき対象として抽出する技術が記載されている。
【先行技術文献】
【特許文献】
【０００６】
【特許文献１】特開2013-246109号公報
【特許文献２】国際公開第2011-125213号
【発明の概要】
【発明が解決しようとする課題】
【０００７】
多数の使用済み蓄電池を再利用する蓄電システムでは、蓄電池毎の寿命の違いに応じて、蓄電池を頻繁に交換しなければならないという課題がある。特許文献１は、異なる残存寿命を持つ組電池の寿命を延ばすための平準化に関する技術を開示しているだけで、この課題の改善について配慮がない。特許文献２も交換する蓄電池の候補を抽出する技術を開示するだけであって、同様である。本発明は、多数の蓄電池を利用しながらも、蓄電池を効率的に交換可能な蓄電システムを提供することを目的とする。
【課題を解決するための手段】
【０００８】
上記目的を達成するため、本発明は、2次電池のセルを夫々収容する複数の電池パックを備え、定期的に保守作業が実施される蓄電システムにおいて、前記複数の電池パックに対する制御回路を備え、前記制御回路は、前記複数の電池パック夫々の残存寿命に基いて、前記複数の電池パックの中から次回の保守作業の際に交換されるべき電池パックの候補を抽出し、前記抽出された電池パックの数と規定数との比較結果に基づいて、次回の保守作業の際に交換されるべき電池パックの数が前記規定数になるように、前記複数の電池パックのうち所定の電池パックに加わる負荷の度合いを変更して、当該電池パックの残存寿命を調整できるようにした、ことを特徴とするものである。
【発明の効果】
【０００９】
本発明によれば、多数の蓄電池を利用しながらも、蓄電池を効率的に交換可能な蓄電システムを提供することができる。
【図面の簡単な説明】
【００１０】
【図１】図１は、本発明の蓄電システムの一実施形態に係るブロック図である。
【図２】図１の蓄電システムの制御回路による、電池パックの交換を支援する処理を説明するフローチャートの一例である。
【図３】２次電池の充電特性の曲線である。
【図４】２次電池の放電特性の曲線である。
【図５】図１の蓄電システムの筐体の正面図である。
【図６】一つの電池モジュール内の複数の電池パックの収納構造を示す正面図である。
【図７】本発明の蓄電システムの第2の実施形態に係るブロック図である。
【発明を実施するための形態】
【００１１】
以下、本発明の実施形態について図面を用いて詳細に説明する。図１は、本発明の蓄電システムの一実施形態に係るブロック図である。蓄電システムは、複数の電池モジュール1と複数の電池モジュールを制御する制御回路100とを備える。複数の電池モジュールの夫々は複数の電池パックを収容している。符号2a、2b、2c、2dの夫々は、電池モジュール内の一つの電池パックを表している。電池パックは複数の2次電池セルから構成されている。制御回路100は、電池モジュール毎に複数の電池パック夫々を管理している。
【００１２】
複数の電池モジュールの電池パック2a、2b、2c、2dはスイッチ3a、3b、3c、3dを介して互いに直列に接続されている。なお、電池パックが直列に接続されている個数は、図１のように“4”に限られない。複数の電池モジュールの夫々では、電池パック2a、2b、2c、2dの夫々にセンサ5a、5b、5c、5dの夫々が図示するように接続されている。センサは、電池パックから電圧、充放電回数、温度等電池パックの動作状態に関連するパラメータを検出する。センサは制御回路100に接続されている。制御回路100は、センサ5a、5b、5c、5dから計測値を収集して電池パックの状態を監視している。
【００１３】
符号6は、複数の電池パック2a、2b、2c、2dを直列に接続する配線102に流れる電流を計測する電流計である。符号104は配線102に並列に接続され、スイッチ4a、4b、4c、4dが接続された配線である。複数のスイッチ3a、3b、3c、3d、4a、4b、4c、4dの夫々は制御回路100によって開閉される。
【００１４】
制御回路100はスイッチ回路によって所定の電池パックを選択することができる。制御回路100が、例えば、スイッチ3a、4b、4c、4dをオフにしてその他のスイッチをオンにすると、電池パック2aを除いて、電池パック2b、2c、2dを直列に接続した構成を実現できる。同様に、制御回路100がスイッチ3b、4a、4c、4dをオフにしてその他のスイッチをオンにすれば、電池パック2bを外して電池パック2a、2c、2dが直列に接続された構成を実現できる。このようにスイッチ3a〜3d、4a〜4dのオン/オフを制御することによって、充放電に供される、複数の電池パックの組合せを変更することができる。
【００１５】
符号7a〜7dは、複数の電池モジュール1の夫々に存在して、電池モジュール内の温度（電池パックの環境温度）を調整可能な温度調整器である。
【００１６】
制御回路100はコンピュータによって構成されてよい。制御回路100は、コンピュータのハードウェア資源、例えば、ＣＰＵ等のコントローラ、メモリ、ＨＤＤ等の記憶装置、表示デバイス、入力デバイス、そして、通信デバイスを備え、さらに、ソフトウェア資源である、ＯＳ、電池パックを制御するためのアプリケーションプログラムを備える。符号8は、電池パックの状態を監視する監視モジュール、符号10は、電池パックの残存寿命を推定する推定モジュール、符号11は、複数の電池パック中から所定の電池パックを抽出する抽出モジュール、符号12は、電池パックの残存寿命を調整可能な調節モジュールである。これらモジュールは、コントローラがソフトウェア資源を実行することによって実現される。そして、符号9はメモリ、及び/又は、記憶装置からなる記憶モジュールである。モジュールを、部、手段、又は、要素、と言い換えてもよい。
【００１７】
センサ5a〜5d、電流計6の計測情報は監視モジュール8へ送られる。監視モジュール8は、計測情報に基づいて、電池パック2a〜2d夫々の容量、劣化の度合い等、電池パックの状態を管理する。監視モジュール8は、所定のサンプリング周期毎に計測情報を取り込み、計測情報、そして、計測情報に基く管理の結果を記憶モジュール9に記録する。推定モジュール10は、記憶モジュール9に記録された情報に基づいて、電池パック2a、2b、2c、2d夫々の残存寿命を計算し、これを記憶モジュール9に記録する。
【００１８】
抽出モジュール11は記憶モジュール9の残存寿命の計算値を参照して、蓄電システムの次回の保守作業の際に交換されるべき電池パックを抽出する。保守作業は、所定期日毎、例えば、定期的に実施されることでよい。抽出モジュール11は抽出した電池パックの情報を記憶モジュール9に記録する。調整モジュール12は、記憶モジュール9の抽出情報に基づいて、残存寿命を調整すべき、一つ又は複数の電池パックを決定する。調整モジュール12は、スイッチ3a〜3d、4a〜4dのオン/オフによって、どの電池パックを直列に接続するかを設定でき、そして、温度調節器7a〜7dを制御することによって電池パックを収容するモジュール1の温度環境を制御することにより、所定の電池パックの残存寿命を調整、即ち、残り寿命を延ばしたり早めたりすることができる。
【００１９】
次に、蓄電システムによって実行される電池パックの交換処理について説明する。使用済み電池パックを数多く利用するシステムでは、複数の電池パックの夫々の残存寿命は電池パック毎に異なるため、寿命が尽きた電池パックが継続的に発生する。したがって、寿命が尽きた電池パックが生じる都度、この電池パックを、残存寿命が残っている他の電池パックに交換することが好ましいといえる。しかしながら、それでは電池パックの交換が頻発し、交換作業の負担が増えて交換コストが嵩むという問題がある。一方、電池パックの交換を定期的に行おうとしても、交換作業の都度、交換すべき電池パックの数が変動し、電池パックの数が少ない時には交換の労力が無駄になり、電池パックの数が多い時には交換の労力が不足する等、交換作業を効率化できない。
【００２０】
そこで、既述の蓄電システムは、定期的に保守作業が実施され、複数の電池パックの一つ又は複数が所定期日毎、或いは、定期的に他の電池パックに交換されたりする場合でも、交換しようとする電池の残存の残存寿命を調整することにより、電池パックの交換作業の際に、交換されるべき電池パック数が所定の規定数になるようにして、電池パックの交換が効率的に実施されるようにしたものである。既述の“規定数”とは、蓄電システムの性能を維持でき、かつ、交換作業の負担を大きくしないという観点から、予め定められよい。既述の調整モジュール12が電池パックの残存寿命をコントロールする。電池パックの残存寿命を延ばしたり、又は、短縮することは、電池パックに加わる負荷の度合いや程度を変更、即ち、負荷の度合いを亢進、又は、抑制することにより可能になる。なお、電池パックに加わる負荷とは、例えば、充放電回数、そして、電池パックが置かれる環境（電池モジュール）の温度である。なお、電池パックを交換するタイミングを、蓄電システムが適用される、例えば、ビルのエレベーターの定期点検に合わせることができる。
【００２１】
作業員は、蓄電システムのメンテナンスの際、前回の点検時に交換候補として抽出された電池パックを交換する。蓄電システムは、電池パックが交換される際、次のメンテナンスのときに交換されるべき電池パックをさらに抽出する。
【００２２】
図2は、制御回路100による、電池パックの交換を支援する処理を説明するフローチャートである。制御回路100は、例えば、電池パックを交換しようする際、作業員の入力によってフローチャートをスタートすればよい。監視モジュール8は、記憶モジュール9に記録されている計測情報に基づいて、全ての電池パック夫々について、現在の容量（満充電できる容量）を計算する(S101)。この計算には電池パックの初期容量のデータが必要であり、これは記憶モジュール9に格納されていてよい。なお、初期容量のデータは電池パックの型式からそのメーカが保証している公称値、或いは、新品の電池パックから測定された値を使用してもよい。
【００２３】
推定モジュール10は全ての電池パックの残存寿命を推定する。そのために、推定モジュール10は、電池パックの現容量と初期容量とに基づいて電池パックの劣化度dを算出する。交換基準として設定された劣化度に達した電池パックが交換されることになる。電池パックの残存寿命とは電池パックが交換基準として設定された劣化度に達するまでの期間である。
【００２４】
電池の劣化はいろいろな要因の影響を受け、次の式１から分かるように、主に、環境温度T、稼働時間t、そして、充放電回数nの影響が大きい。
【００２５】
【数１】
2019184374.tif 000003
関数fは温度、稼動時間と劣化との関係式を表し、関数gは温度、充放電回数と劣化との関係式を表す。また、d0(t0)は時間t0での劣化度を表す。推定モジュール10は、電池パックの使用履歴に係る充放電回数及び稼働時間を式１に適用し、さらに、電池パックの交換を行うための劣化度として規定値を式１に適用して、その規定値に達するまでの将来時間、すなわち、電池パックの残存寿命を推定する。
【００２６】
抽出モジュール11は、全ての電池パックの推定残存寿命（或いは、電池容量）に基づいて、次回のメンテナンスの際に交換されるべき電池パックの候補を抽出する(S102)。次回のメンテナンスの際に交換されるべき電池パックを予め決定することは、多数の使用済み電池パックを再利用する蓄電システムを安定して運用することと電池パックの交換を効率化することとの両立のために有効である。
【００２７】
抽出モジュール11は、次回のメンテナンスの際交換されるべき電池パックの候補数と既述の規定数とを比較する(S103)。抽出モジュール11は、候補数が規定数より小さい場合、S103を肯定判定してS104に移行する。抽出モジュール11は、交換候補として選定されなかった電池パックの中から、残存寿命が短い順に、電池パックを規定数に達するまで交換候補として追加する(S104)。追加された交換候補の電池パックは、現在までの使用状態では次回のメンテナンスまでに交換すべき劣化度に至らないため、電池パックに加わる負荷の程度を変更して電池パックの消耗を促進させる必要がある。そこで、抽出モジュール11は、調整モジュール12に、交換候補として新たに追加された電池パックの消耗を促進させるコマンドを送って（S105）フローチャートを終了する。
【００２８】
調整モジュール12は、交換候補として追加された電池パックに加わる負荷の度合いを亢進、促進、増加等させ、例えば、充放電回数を多くし、及び／又は、電池パックの環境温度を上げて、電池パックの残存寿命が速く消化されるようにする。調整モジュール12は、既述のスイッチのオン又はオフをコントロールして、交換候補に追加された電池パックを充放電回路に接続しながら、他の電池パックを充放電回路から外す、除外などして、交換候補に追加された電池パックの充放電回数を相対的に増加させ、及び／又は、交換候補に追加された電池パックが属するモジュール1の温度調整器7a〜7ｄの冷却頻度を低減させて、次回のメンテナンスまでに電池パックが交換されるべき劣化度まで消耗されるようにする。電池パックは、充放電回数が増えるほど、及び/又は、環境温度が高いほど消耗されて劣化が進む。
【００２９】
このように、調整モジュール12は、電池パックの消耗を促進させることにより、電池パックの残存寿命を調整し、これを管理することができる。交換候補として新たに追加された電池パックの消耗が促進される代わりに、交換候補ではない電池パックの消耗が抑制されれば、蓄電システム全体に対する悪影響はない。なお、電池パックが使用される状況によって、電池パックの残存寿命は変わってくるため、候補数は規定数とおりにならないことは普通にある。
【００３０】
抽出モジュール11は、候補数が規定数より大きい場合、S103を否定判定してS106に移行する。抽出モジュール11は、交換候補として抽出、又は、選定された電池パックの数が規定数より多いために、余寿命の長い順に、候補数が規定数になるまで電池パックを交換候補から除外する(S106)。除外された電池パックは、次回のメンテナンスまで現在の条件のまま使用され続けると、規定された劣化度を超えて劣化が進んでしまう。抽出モジュール11は、調整モジュール12に、交換候補から外された電池パックの消耗を抑制させるコマンドを送って（S105）フローチャートを終了する。
【００３１】
調整モジュール12は、この抑制コマンドを受けて、交換候補から外された電池パックの負荷を抑制、軽減、緩和等、例えば、既述のスイッチのオン又はオフをコントロールして、交換候補に追加された電池パックの充放電回数を減少させ、及び/又は、交換候補から外された電池パックが属するモジュール１の温度調整器7a〜7ｄの冷却頻度を増加させて、次回のメンテナンスまでに電池パックの消耗が進まないようにして途中で電池パックの寿命が尽きないようにする。この電池パックは次々回のメンテナンスの際に交換候補になる。このように、制御回路100は、蓄電システムのメンテナンスの際、交換される電池パックの数が規定数になるようにする。なお、S103において、候補数が規定数に等しい場合には、制御システム100は、S104、そして、S106に進むことなく、フローチャートを終了する。図２に示すフローチャートによれば、次回のメンテナンスの際に交換されるべき電池パックの数を予め定めた規定数になるにするので、電池パックの交換作業を効率化できる。交換すべき電池パックの数が少ないと、交換のために用意した人材や機材が無駄になり、一方、交換すべき電池パックの数が多いと交換のために用意した人材や機材が不足し、交換作業を追加しなければならない等の課題があった。
【００３２】
ここで、2次電池の属性について説明する。図3に２次電池の充電特性の曲線を示し、図4に２次電池の放電特性の曲線を示す。横軸が初期容量に対する充電率であり、縦軸が電圧である。実線が初期状態、点線が劣化時の場合である。電池が劣化していくと満充電時の充電率が初期の充電状態から下がっていき電池の持ち時間が短くなる。満充電時の充電率によっても電池の劣化度が分かる。そして、充電曲線と放電曲線の電圧差が初期状態に比較して劣化していくと大きくなる。したがって、電圧差によっても電池の劣化度を判定することができる。
【００３３】
電力供給を安定化するためには、大容量の蓄電システムが必要になる。大容量の蓄電システムでは、多数の電池モジュール、電池パックが存在する。作業員が効率的に電池交換作業を行うには、作業員が交換候補である電池パックを、時間を費やすことなく認識できることが好適である。図5、6に交換候補である電池パックを報知するシステムの一例を示す。図5は、蓄電システムの筐体の正面図である。筐体は２機存在し、1機が4つの電池モジュールを備えるものとして構成されている。２機の筐体によって蓄電システムが構成される。符号30-37は夫々電池モジュールを示す、符号30a-37aは夫々電池モジュールの正面扉である、符号30b-37bは正面扉に設けられた表示部を示す。制御システム100は、交換候補になっている電池パックを有する電池モジュールの表示部（31b,37b）を点灯させる。
【００３４】
図6は、一つの電池モジュール内の複数の電池パックの収納構造を示す正面図である。電池モジュールの扉を開放すると、この収納構造が露出する。図6において、符号40-51は電池パックを示し、符号40a-51aは電池パックの小筐体を示し、符号40ｂ-51bは電池パックの表示部（表示出力装置）を示す。制御回路100は、交換候補になっている電池パックの表示部（40b、50ｂ）を点灯させることにより、作業員に交換候補になっている電池パックを報知する。表示部は、液晶パネル、パイロットランプ、LED等点灯表示が作業員に分かり易いものであればよい。表示部が存在することによって、作業員は、多数の電池パックがある中で、交換対象になっている電池パックを迅速に探し当てることができる。
【００３５】
作業員は、電池モジュールの表示部、そして、電池パックの表示部によって、交換候補の電池パックを視認することができる。作業員が交換候補であった電池パックの交換を終了すると、制御回路100は、交換された電池パックに関する表示を消し、次回のメンテナンスの際の交換候補である電池パックの表示部と、この電池パックを有する電池モジュールの表示を点灯させる。なお、制御回路100は、図2のフローチャートによって、交換候補から外れた電池パック、交換候補に追加された電池パックを区別できるように、表示部を点灯させてもよい。
【００３６】
図7に本発明の蓄電システムの第2の実施形態に係るブロック図を示す。第2の実施形態に係る蓄電池システムが図1の実施形態と異なる点は、電池パック2e、2f、2gが並列に接続されていることである。なお、電池パックの個数は限定されるものではない。
【００３７】
夫々の電池パックには電流、充放電回数、温度等を検出するセンサ5e、5f、5gが接続されている。電圧計21は電池パックにかかる電圧を計測している。各電池パックにはスイッチ3e、3f、3gが接続されている。スイッチ3eをオフにしてその他のスイッチをオンにすると、電池パック2eが外れて、二つの電池パック2f、2gが並列接続された構成になる。同様にスイッチ3e、3fをオフにしてその他のスイッチをオンにすれば、電池パック2e、2fが外れて、電池パック2gのみが接続された構成になる。
【００３８】
図1の蓄電システムと同様に、図7の蓄電システムがスイッチ3e〜3gをオン/オフ制御することによって、蓄電システムが運用しようとする電池パックを変更することができる。抽出モジュール11は、センサ5e〜5g、電圧計21のデータ、及び、記憶モジュール9に格納されたデータに基づいて、交換候補の電池パックを抽出する。調整モジュール12は、スイッチ3e〜3gをオン/オフ制御して、抽出された電池パックの充放電回数を増減させたり、抽出された電池パックに対する温度調節器7e〜7gの冷却頻度を増減させたりして、電池パックの寿命を調節する。
【００３９】
なお、蓄電システムは、複数の電池パックが直列及び並列に接続された構造を備えてもよい。既述の規定数は特定の値以外に所定の幅を持った値でもよい。既述の実施形態では、使用済みの電池パックを利用する蓄電システムについて説明したが、新品の電池パックを大量に利用する蓄電システムにおいても、電池パックの使用状況が電池パック毎に異なるため、電池寿命が低下した電池パックが少しずつでも継続的に発生する場合等に本発明を適用することができる。
【００４０】
既述の実施形態では、抽出モジュール11は、候補数が規定数より小さい場合、抽出モジュール11は、交換候補として選定されなかった電池パックの中から、残存寿命が短い順に、電池パックを規定数に達するまで交換候補として追加する、ことを説明したが、交換候補の電池パックに対して相対的に近い電池パックを交換候補として追加した方が交換作業は容易になる。よって、残存寿命の短さ（電池パックを交換しなければならない必要性）と相対距離の近さ（電池パックを交換する際の作業の容易性）との二つのパラメータを統合した指標に基づいて、交換候補として追加されるべき電池パックを決めることがよい。このために、制御回路100は電池パックの位置情報を管理していればよい。また、既述の実施形態では、電池パックを再利用品として説明したが、２次電池のセルが再利用品でもよい。既述の実施形態は、本発明を限定するためのものではなく、本発明の範囲内で、変形、又は、改良されてもよい。
【符号の説明】
【００４１】
１…電池モジュール、2…電池パック、6…電流計、7…温度調節器、8…監視モジュール、12…調整モジュール
【図１】
2019184374.tif 000004
【図２】
2019184374.tif 000005
【図３】
2019184374.tif 000006
【図４】
2019184374.tif 000007
【図５】
2019184374.tif 000008
【図６】
2019184374.tif 000009
【図７】
2019184374.tif 000010